(57)【要約】【課題】電子部品を収納したハウジングをスナップフィット方式で、がたつくことなく固定する。【解決手段】ハウジング６の第１の取付脚部１４を前ケース３のリブ１７の差込用切欠部１８に差し込むと共に、ハウジング６の第２，第３の取付脚部１５，１６を前ケース３の第１，第２の弾性結合片２０，２１に対してその先端側から根元側に向って押し込むことによってこれら第２，第３の取付脚部１５，１６を第１，第２の弾性結合片２０，２１にスナップフィット結合させるので、ねじを用いずとも、ハウジング６を前ケース３に取り付けることができる。しかも、前ケース３のテーパ状の嵌合突部２２を第３の取付脚部１６に形成された透孔１６ａに嵌合させるので、ハウジング６をがたつくことなく取り付けることができるようになる。【選択図】図１
2008306116.tif 000002
【特許請求の範囲】
【請求項１】
プラスチック製のケースに電子部品を取り付ける電子部品の取付構造において、
前記電子部品を収納したプラスチック製のハウジングと、
前記ハウジングに突設された第１ないし第３の取付脚部と、
前記第２および第３の取付脚部のうちの少なくとも一方の取付脚部に形成された透孔と、
前記ケースに突設されたリブと、
前記リブに当該リブの先端から根元方向に向って形成され、前記第１の取付脚部を差し込む差込用切欠部と、
前記リブに形成され、前記ハウジングを係止して前記差込用切欠部に差し込まれた前記第１の取付脚部が前記差込用切欠部から前記リブの先端方向へ抜けることを阻止するための係止部と、
前記ケースに夫々突設され、夫々前記第２および第３の取付脚部を係止する係止爪を有した第１および第２の弾性結合片と、
前記ケースに突設され、前記透孔に嵌合するテーパ状の嵌合突部と
を備え、前記ハウジングの前記第１の取付脚部を前記リブの前記差込用切欠部に差し込むと共に、前記第２および第３の取付脚部を前記第１および第２の弾性結合片に対してその先端側から根元側に向って押し込むことにより、これら第２および第３の取付脚部を前記第１および第２の弾性結合片にスナップフィット結合させ、且つ前記嵌合突部を前記透孔に嵌合させることを特徴とする電子部品の取付構造。
【発明の詳細な説明】
【技術分野】
【０００１】
本発明は、電子部品をケースに取り付ける構造に関する。
【背景技術】
【０００２】
例えば、建物の入退室システムでは、室のドアの近傍に端末装置を設置し、個人が所有するＩＣカードを端末装置にかざすと、端末装置がそのＩＣカードの内容を読み取って室のドアの電気施錠装置を解錠する構成が採用されている。
上記端末装置は、プラスチック製のケース内にＩＣカードリーダを取り付けて構成される。ケースにＩＣカードリーダを取り付ける構造としては、電子部品であるＩＣカードリーダをプラスチック製のハウジングに収納し、このハウジングをケースに突設されたボス脚にねじ止めする構造が一般的であった。
【０００３】
なお、ＩＣカードリーダ（電子部品）をケースにねじ止めする構造は、一般的に過ぎ、適当な先行技術文献は見当たらなかった。
【発明の開示】
【発明が解決しようとする課題】
【０００４】
上記のハウジングをケースにねじ止めする構造では、ねじ締め強度を確保する必要上、ボス脚を太くしなければならない。しかしながら、ボス脚を太くすると、ケースをプラスチック成形する際、ケースの肉厚寸法に比べてボス脚の径寸法が大きいため、いわゆる肉ひけが発生してケースの外観を損なう。
ハウジングを、ねじ締めによらず、弾性結合片によるスナップフィット方式で取り付ける構成を採用すれば、肉ひけをなくすことが可能であるが、スナップフィット方式では、電子部品ががたつきを生じ易いという問題がある。
【０００５】
本発明は上記の事情に鑑みてなされたもので、その目的は、電子部品を収納したハウジングをスナップフィット方式でケースに取り付ける構成を採用することでケースに肉ひけが生じないようにすると共に、電子部品をがたつくことなく固定することができる電子部品の取付構造を提供することにある。
【課題を解決するための手段】
【０００６】
本発明では、ハウジングの第１の取付脚部をケースのリブの差込用切欠部に差し込むと共に、ハウジングの第２および第３の取付脚部をケースの第１および第２の弾性結合片に対してその先端側から根元側に向って押し込むことによってこれら第２および第３の取付脚部を第１および第２の弾性結合片にスナップフィット結合させるので、ねじを用いずとも、ハウジングをケースに取り付けることができる。しかも、ケースのテーパ状の嵌合突部を取付脚部に形成された透孔に嵌合させるので、ハウジングをがたつくことなく取り付けることができるようになる。
【発明を実施するための最良の形態】
【０００７】
以下、本発明の一実施形態をＩＣカードリーダに適用して図面を参照しながら説明する。図１０は、ＩＣカードリーダ１の全体構成を示すもので、例えば非接触式ＩＣカードを読み取る機能（リーダ機能）を有している。このＩＣカードリーダ１の本体２は、全体として矩形状で、壁などに固定される。
【０００８】
上記本体２は、前ケース３と後ケース４とから構成されている。これら両前ケース３，４は共にプラスチック製で、前ケース３内には、図１に示すように、１枚のプリント基板５と１個のハウジング６が配設されている。プリント基板５には、図１０に示すテンキーなどの各種のキー７が配設されていると共に、これらキー７によって操作されるスイッチ（図示せず）およびスイッチの出力信号処理回路用の電気電子部品８などが搭載されている。
【０００９】
また、ハウジング６内には、電子部品としてのカードリーダ９（図３参照）が収納されている。カードリーダ９は、非接触式ＩＣカードを接近させて読み取るインターフェース部およびこのインターフェース部の読取信号を処理するためのコントロール部用の電気電子部品（いずれも図示せず）などから構成されている。そして、プリント基板５のキー７およびハウジング６のインターフェース部の収納部分１０（図１０参照）は、夫々前ケース３の前面部に形成された開口１１および１２を通じて外部に露呈されている。
【００１０】
本発明の取付構造は、カードリーダ９の前ケース３への取り付けに適用されている。即ち、カードリーダ９を収納したハウジング６は、プラスチックにより図５に示す薄型箱状に形成されており、開放された背面は、電磁シールド用背板１３によって塞がれている。このハウジング６の４側面のうち、上面に第１の取付脚部１４が上向きに突出形成され、下面に第２および第３の取付脚部１５および１６が夫々下向きに突出形成されている。そして、それら第１ないし第３の取付脚部１４ないし１６には、円形の透孔１４ａないし１６ａが形成されている。
【００１１】
一方、図４および図６に示すように、前ケース３の前面裏側には、上方側に位置して、箱型の板状リブ１７が突設されているこのリブ１７には、ハウジング６の第１の取付脚部１４が差し込まれる差込用切欠部１８がリブ１７の先端から根元方向に向って形成されている。なお、差込用切欠部１８は、リブ１７の根元まで延びていても良いし、根元まで至らずに途中まで延びるものであっても良い。また、リブ１７には、差込用切欠部１８の幅方向両側に位置してハウジング６の配置側に突出する一対の係止部１９が形成されている。なお、係止部１９は、１個だけでも良い。
【００１２】
前ケース３の前面裏側には、下方側に位置して、第１の弾性結合片２０および第２の弾性結合片２１が突設されている。第１の弾性結合片２０は、上下方向に弾性変形可能で、上端部には、上向きの係止爪２０ａが突設されている。また、第２の弾性結合片２１は、左右方向に弾性変形可能で、上端部には、横向きの係止爪２１ａが突設されている。
【００１３】
更に、前ケース３の前面裏側には、第２の弾性結合片２１の係止爪２１ａの突出側に位置して、嵌合突部２２が突設されている。この嵌合突部２２は、図７にも示すように、左右方向が厚さ方向となった板状をなし、上部は、テーパ状に形成されている。このテーパ状の嵌合突部２２は、ハウジング６の第３の取付脚部１６の透孔１６ａに嵌合されるようになっており、上端の幅寸法が透孔１６ａの径寸法よりもやや小さく、下端の幅寸法が透孔１６ａの径寸法よりもやや大きく設定されている。
【００１４】
次に、上記のように構成された前ケース３にハウジング６を取り付けるための作業手順を説明する。前ケース３は、裏返した状態にして図示しない作業台に載せられているとする。この前ケース３に対して、ハウジング６を前面が下側となるようにして手に持ち、そして、図８に示すように、ハウジング６を傾けて第１の取付脚部１４をリブ１７の係止部１９の下から差込用切欠部１８内に差し込む。
【００１５】
その後、ハウジング６の上面部をリブ１７に押し当てるようにしながら、ハウジング６を下方に押す。すると、第２および第３の取付脚部１５および１６が第１および第２の弾性結合片２０および２１を夫々矢印アおよびイ方向に弾性変形させながら係止爪２０ａおよび２１ａを乗り越えるようになると共に、第３の取付脚部１６の透孔１６ａ内にテーパ状の嵌合突部２２が入り込むようになる。
【００１６】
そして、第２および第３の取付脚部１５および１６が係止爪２０ａおよび２１ａを乗り越える位置までハウジング６が押し下げられると、ハウジング６が前ケース３の前面部に接するようになる。一方、第２および第３の取付脚部１５および１６が係止爪２０ａおよび２１ａを乗り越えたことにより、第１および第２の弾性結合片２０および２１が復元して、図３および図９に示すように、係止爪２０ａおよび２１ａによって第２および第３の取付脚部１５および１６を係止（スナップフィット結合）すると共に、テーパ状の嵌合突部２２が透孔１６ａに隙間なく嵌合する状態となる。同時に、復元した第１の弾性結合片２０がハウジング６の第２の取付脚部１５に接し、且つハウジング６の前面部が前ケース３の前面部に接して第１の取付脚部１４が完全に差込用切欠部１８に差し込まれた状態になると共に、リブ１７の係止部１９がハウジング６の裏面に接するようになる。
【００１７】
以上によりハウジング６が前ケース３に取り付けられる。この状態においては、前ケース３の第１の弾性結合片２０がハウジング６の下面の第２の取付脚部１５に接し、ハウジング６の上面が前ケース３のリブ１７に接していることにより、ハウジング６の上下方向（図１に示すＹ方向）の動きが規制される。また、ハウジング６の第１の取付脚部１４が前ケース３のリブ１７の差込用切欠部１８に差し込まれていることにより、ハウジング６の左右方向（図１に示すＸ方向）の動きが規制される。更に、ハウジング６の前面部が前ケース３の前面部に接していることを前提に、前ケース３のリブ１７の係止部１９がハウジング６の裏面を係止し、前ケース３の第１および第２の弾性結合片２０および２１の係止爪２０ａおよび２１ａがハウジング６の第２および第３の取付脚部１５および１６を係止していることにより、ハウジング６の前後方向（図１に示すＺ方向）の動きが規制される。
【００１８】
ただ、ハウジング６の第１の取付脚部１４よりも前ケース３のリブ１７の差込用切欠部１８の方が幅広で両者間に隙間があったりすると、ハウジング６は左右方向に動く恐れがある。また、リブ１７と第１の弾性結合片２０との間に、ハウジング６が隙間なく入り込んでいないと、ハウジング６が上下方向に動く恐れがある。しかしながら、本実施形態では、テーパ状の嵌合突部２２が第３の取付脚部１６の透孔１６ａに密に嵌合しているので、ハウジング６が左右方向に動いたり、上下方向に動いたりすることがなく、がたつきのない固定状態が得られる。
【００１９】
なお、本発明は上記し且つ図面に示す実施形態に限定されるものではなく、以下のような拡張或いは変更が可能である。
テーパ状の嵌合突部２２を第２の弾性結合片２１ではなく、第１の弾性係合片２０の近傍に突設して第２の取付脚部１５の透孔１５ａに密に嵌合させる構成としても良い。
テーパ状の嵌合突部２２は、第１の弾性係合片２０の近傍および第２の弾性結合片２１の近傍の両方に突設して第２の取付脚部１５の透孔１５ａと第３の取付脚部１６の透孔１６ａに密に嵌合させる構成としても良い。
テーパ状の嵌合突部２２は、板状のものに限られず、円錐状のものであっても良い。
【図面の簡単な説明】
【００２０】
【図１】本発明の一実施形態を示す要部の斜視図
【図２】要部の背面図
【図３】図２のＡ−Ａ線に沿う断面図
【図４】前ケースを裏面側から見た斜視図
【図５】ハウジングの斜視図
【図６】リブの斜視図
【図７】第２の弾性結合片と嵌合突部を示し、（ａ）は斜視図、（ｂ）は（ａ）の矢印Ｂ方向から見た側面図
【図８】第１の取付脚部の取り付け手順を示すもので、（ａ）は取り付け開始時の断面図、（ｂ）は取り付け後の断面図、（ｃ）は（ｂ）の矢印Ｃ方向から見た側面図
【図９】第２の弾性結合片の取り付け状態を示し、（ａ）は断面図、（ｂ）は（ａ）の矢印Ｄ方向から見た平面図、（ｃ）は（ａ）の矢印Ｅ方向から見た断面図
【図１０】ＩＣカードリーダの斜視図
【符号の説明】
【００２１】
図面中、２は本体、３は前ケース、６はハウジング、９はカードリーダ、１４〜１６は第１〜第３の取付脚部、１４ａ，１５ａ，１６ａは透孔、１７はリブ、１８は差込用切欠部、１９は係止部、２０，２１は第１，第２の弾性結合片、２０ａ，２１ａは係止爪、２２は嵌合突部を示す。
【図１】
2008306116.tif 000003
【図２】
2008306116.tif 000004
【図３】
2008306116.tif 000005
【図４】
2008306116.tif 000006
【図５】
2008306116.tif 000007
【図６】
2008306116.tif 000008
【図７】
2008306116.tif 000009
【図８】
2008306116.tif 000010
【図９】
2008306116.tif 000011
【図１０】
2008306116.tif 000012